(57)【要約】【課題】特に記録媒体間でコピーする際に記録媒体の温度上昇を抑える。【解決手段】撮像手段と、前記撮像手段により得られた画像データを複数の記録媒体に記録する記録手段と、前記複数の記録媒体の温度を検出する温度検出手段と、前記複数の記録媒体への前記画像データの書き込み速度を制御する書き込み速度制御手段と、前記複数の記録媒体の記録可能容量を検出する容量検出手段と、外気温度を検出する外気温度検出手段とを備え、前記撮像手段により得られた画像データを前記複数の記録媒体の何れかに記録する場合は、前記温度検出手段により検出された温度が最大許容温度を超えないように記録を制御し、前記複数の記録媒体の間でコピーを行う場合は、前記書き込み速度制御手段により、書き込み速度を変える。【選択図】図１
2017005323.tif 000002
【特許請求の範囲】
【請求項１】
撮像手段と、
前記撮像手段により得られた画像データを複数の記録媒体に記録する記録手段と、
前記複数の記録媒体の温度を検出する温度検出手段と、
前記複数の記録媒体への前記画像データの書き込み速度を制御する書き込み速度制御手段と、
前記複数の記録媒体の記録可能容量を検出する容量検出手段と、
外気温度を検出する外気温度検出手段とを備え、
前記撮像手段により得られた画像データを前記複数の記録媒体の何れかに記録する場合は、前記温度検出手段により検出された温度が最大許容温度を超えないように記録を制御し、
前記複数の記録媒体の間でコピーを行う場合は、前記書き込み速度制御手段により、書き込み速度を変えることを特徴とする撮像装置。
【請求項２】
前記複数の記録媒体の間でコピーを行う場合は、前記書き込み速度制御手段は、最大許容温度を超えないように一律で書き込み速度を落とすことを特徴とする請求項１に記載の撮像装置。
【請求項３】
前記複数の記録媒体の間でコピーを行う場合は、前記書き込み速度制御手段は、最大許容温度を超えないように前記温度検出手段で検出された温度に応じて、書き込み速度を随時変えることを特徴とする請求項１に記載の撮像装置。
【請求項４】
前記複数の記録媒体の間でコピーを行う場合は、前記書き込み速度制御手段は、前記容量検出手段で検出された前記記録媒体の記録容量と、前記温度検出手段により検出された温度と、前記外気温度検出手段により検出された外気温度から、前記最大許容温度を超えない条件に合った書き込み速度を算出し、算出した書き込み速度で記録することを特徴とする請求項１に記載の撮像装置。
【請求項５】
前記複数の記録媒体は着脱可能な記録媒体であることを特徴とする請求項１乃至請求項４の何れか一項に記載の撮像装置。
【発明の詳細な説明】
【技術分野】
【０００１】
本発明は撮像装置に関し、特に複数の記録媒体の間でのコピー処理に関する。
【背景技術】
【０００２】
従来ＣＭＯＳ等の撮像素子を備えるカメラは、撮影レンズを通過した光束を撮像素子で受光し、その光電変換出力に基づいて画像データを得る。そして、タイミングジェネレータ素子や、撮像エンジンなどの各種電気部品を搭載した回路基板によって撮像動作が制御される。
【０００３】
回路基板に搭載されたタイミングジェネレータ素子、撮像エンジンなどの電気部品は、その連続的な動作に伴い発熱することで発熱源となり、周囲温度を上昇させる。特に撮像素子は、熱により暗電流が発生するため、暗電流によって生じる画像劣化が問題となっている。
【０００４】
上記問題に対して、撮像素子や各種電気部品から発生する熱を放熱シートなどの熱伝導部材により、本体や外装に熱を逃がすことで対策を行っていた。
【０００５】
しかし、外装に熱を逃がすことでユーザーが触れる外装部分の温度が上昇して、ユーザーに不快感を与えてしまうという問題が生じていた。この問題に対して、カメラ内部に温度計を配置し、温度計の温度が最大許容温度を超えないよう、撮影を禁止するといったカメラの機能を制限する対策を行っていた。
【０００６】
また、近年、高速で大容量なＣＦａｓｔなどの外部記録媒体が提案されているが、これらの記録媒体は、書き込み速度が高速な分、消費電力も大きい。その為、従来から発熱原であった撮像素子や各種電気部品に加え、外部記録媒体自体も非常に高温になってしまい、記録媒体の交換時にユーザーが不快に感じる恐れがあった。
【０００７】
上記課題に対して、これまでと同様に、動画記録時も外部記録媒体が所定の温度になる前に撮影動作を停止することで温度上昇を抑制する方法が考えられる。
【０００８】
しかし、複数の着脱可能な記録媒体を備えるカメラにおいて、外部記録媒体間でコピー機能を備えている場合、コピー時も外部記録媒体が発熱してしまう。動画記録時と同様にコピー中に動作を停止することが出来ないため、発熱した記録媒体をユーザーが取り出す際に不快感を与えてしまうといった課題があった。
【０００９】
上記に対して特許文献１では、複数の記録媒体を備えるカメラにおいて、記録媒体の書き込み速度を検出する手段を設け、記録時には書き込み速度の速い方に記録し、その後着脱可能な記録媒体にコピーしている。特許文献２では、複数の記録媒体を備えるカメラにおいて、各記録媒体の温度を検出し、温度が最大許容温度以上の時に熱に関する条件がよい記録媒体に記録し、条件が良くないと判断された記録媒体は記録を禁止する。
【先行技術文献】
【特許文献】
【００１０】
【特許文献１】特開２００７−３１８３４４号公報
【特許文献２】特開２００８−３１９３８６号公報
【発明の概要】
【発明が解決しようとする課題】
【００１１】
しかしながら、特許文献１に開示された従来技術では、書き込み速度が速い記録媒体に記録しているが、熱に関しては対策がとられていない。特許文献２に開示された従来技術では、記録媒体の温度を測定し、温度条件がよい記録媒体に記録し、温度条件が良くない記録媒体への記録を禁止しているが、必ずしもユーザーが望む記録媒体に記録できない。
【００１２】
そこで、本発明の目的は、複数の記録媒体を備えるカメラにおいて、特に記録媒体間でコピーする際に、ユーザーが不快に感じないように記録媒体の温度上昇を抑えるとともに、より早くコピーを完了させることを可能にした撮像装置を提供することにある。
【課題を解決するための手段】
【００１３】
上記の目的を達成するために、本発明に係る撮像装置は、
撮像手段と、前記撮像手段により得られた画像データを複数の記録媒体に記録する記録手段と、前記複数の記録媒体の温度を検出する温度検出手段と、前記複数の記録媒体への前記画像データの書き込み速度を制御する書き込み速度制御手段と、前記複数の記録媒体の記録可能容量を検出する容量検出手段と、外気温度を検出する外気温度検出手段とを備え、前記撮像手段により得られた画像データを前記複数の記録媒体の何れかに記録する場合は、前記温度検出手段により検出された温度が最大許容温度を超えないように記録を制御し、前記複数の記録媒体の間でコピーを行う場合は、前記書き込み速度制御手段により、書き込み速度を変えることを特徴とする。
【発明の効果】
【００１４】
本発明によれば、複数の着脱可能な記録媒体を備えるカメラにおいて、記録媒体間コピー直後にユーザーが記録媒体を取り出す際に、発熱により不快に感じるのを防ぐとともに、より早くコピーを完了させることを可能にした撮像装置を提供することができる。
【図面の簡単な説明】
【００１５】
【図１】実施形態における撮像装置の構成を示す図である。
【図２】実施形態における撮像装置の構成を示すブロック図である。
【図３】動画記録時のフローチャートである。
【図４】コピー時のフローチャートである。
【図５】コピー時の記録媒体温度と書き込み速度を示す図である。
【図６】コピー時のフローチャートである。
【図７】コピー時の記録媒体温度と書き込み速度を示す図である。
【図８】コピー時のフローチャートである。
【図９】コピー時の記録媒体温度と書き込み速度を示す図である。
【発明を実施するための形態】
【００１６】
以下に本発明の好ましい実施形態を添付の図面に基づいて詳細に説明する。図１は本発明の実施形態に関する、撮像装置の構成を示す概略図である。図１を用いて以下でカメラの大まかな構成について説明する。カメラボディ１００に交換可能に装着される撮影レンズ１０１を備え、撮影レンズ１０１は、フォーカスレンズ１０２などの複数のレンズ（図示省略）、及び絞り（図示省略）等で構成されている。なお、撮影レンズ１０１は交換可能なものではなく、カメラボディ１００と一体に固定されていてもよい。
【００１７】
カメラボディ１００の内部にはＣＣＤやＣＭＯＳ等により構成される撮像素子１０３が、第１の回路基板１０４に取り付けられており、第１の回路基板１０４の背面側には第２の回路基板１０５が設けられている。第１の回路基板１０４と第２の回路基板１０５にはカメラの画像処理やシステム制御を行う、ＣＰＵ，ＭＰＵ、ＡＧＴＧなど各種電気部品が実装されており、撮像素子１０３は撮像面に結像された被写体を電気信号に変換し出力する。
【００１８】
また、撮像素子１０３の前方には露光時間を調整するためのメカニカルシャッタ１０６が設けられている。カメラボディ１００内において、メカニカルシャッタ１０６より前方にメインミラー１０７が設けられている。メインミラー１０７の後方には、撮影レンズ１０１から入射した光を、位相差方式により焦点検出を行う焦点検出部１０９に導くための、サブミラー１０８が備えられている。なお、メインミラー１０７及びサブミラー１０８は、撮像時には図１において時計方向に回転し撮影レンズ１０１から入射する被写体光の光路外に退避する。
【００１９】
メインミラー１０７で上方に反射した光により被写体像が形成される焦点板１１０、焦点板１１０に形成された被写体像を左右反転するペンタプリズム１１１、被写体輝度を測光する測光素子１１２、被写体像を観察する接眼部１１３で構成されている。なお、専用の焦点検出部１０９を設けずとも、撮像素子１０３は撮像面上で位相差による焦点検出を行う撮像面位相差ＡＦ部を備えていてもよい。カメラ背面には撮影条件や、構図、撮影した画像の確認などに用いる液晶モニタ１１４を備えている。また、生成された画像データを記録する着脱可能な第１の記録媒体２０２と、第２の記録媒体２０３を保持するための記録媒体スロット（図示省略）を備える。
【００２０】
本構成では被写体を接眼部１１３にて確認可能であるが、メインミラー１０７、ペンタプリズム１１１などを必ずしも備える必要はなく、液晶モニタ１１４に撮影画像を表示するミラーレスカメラとして構成しても良い。
【００２１】
図２は本発明の実施形態に関する、撮像装置の構成を示すブロック図である。撮影レンズ１０１からの入射光は、撮像素子１０３により撮像面に結像された被写体を電気信号に変換し出力する。撮像素子１０３から出力された電気信号は制御部２００に入力され、制御部２００は電気信号に対して各種画像処理を行って画像データの生成や、生成された画像データの液晶モニタ１１４への表示を行う。また、各種操作部２０１により、ユーザーが撮影、再生などの各種動作を実行することが可能となる。
【００２２】
書き込み速度制御部２０４は、第１の記録媒体２０２及び、第２の記録媒体２０３への書き込み速度を制御する。また、書き込み速度制御部２０４は記録媒体温度測定部２０５、記録媒体容量測定部２０６及び、外気温度測定部２０７から得られた情報により、書き込み速度を制御する。
【００２３】
これにより、被写体を撮影して得られた画像データが第１の記録媒体２０２及び第２の記録媒体２０３に記録される。また、第１の記録媒体２０２と第２の記録媒体２０３は相互にコピーが可能な記録媒体間のコピー機能を備える。
【００２４】
ここで、第１の記録媒体２０２と第２の記録媒体２０３は同じ種類の記録媒体でも良いし、第１の記録媒体が高速な記録媒体であり、第２の記録媒体は低速な記録媒体など、２つの記録媒体が異なっても良い。また、記録媒体（２０２、２０３）は２つだけではなくさらに複数の記録媒体を備えていてもよい。
【００２５】
次に、図３を参照して、被写体を撮影して得られた撮影画像を第１の記録媒体２０２及び第２の記録媒体２０３に記録する場合の実施例について説明する。図３は、本発明の実施形態に関する、動画撮影時のフローチャートである。なお、ここでは記録媒体として第１の記録媒体に記録する場合について説明するが、第1の記録媒体に限らず、第２の記録媒体に記録してもよい。また、記録先の記録媒体をユーザーが任意に選べてもよいし、動画モードや記録媒体の残容量等に応じて自動的に選択できてもよい。また、動画撮影に限らず、静止画連写でもよい。
【００２６】
図３より、ユーザーが各種操作部２０１の操作により、動画記録をスタートすると（Ｓ３００）、撮像素子１０３で撮像された被写体像は制御部２００で画像データとして生成されたのち、第１の記録媒体２０２への記録が開始される（Ｓ３０１）。
【００２７】
記録媒体温度測定部２０５により、第１の記録媒体温度Ｔ１が測定され（Ｓ３０２）、最大許容温度Ｔとの比較を行う（Ｓ３０３）。なおここで、最大許容温度Ｔの値は第１の記録媒体２０２または、第２の記録媒体２０３が故障しない保障温度でも良いし、ユーザーが取り出す際に火傷などをしない任意の温度でも良い。
【００２８】
第１の記録媒体温度Ｔ１が最大許容温度Ｔより小さい場合、そのまま動画記録を継続し（Ｓ３０４）、第１の記録媒体温度Ｔ１が最大許容温度Ｔより大きい場合、ユーザーに警告を与え動画記録を禁止する。なお、第１の記録媒体温度Ｔ１が最大許容温度Ｔより小さくなると、再び動画記録が可能とする。
【００２９】
［実施例１］
以下、図４と図５を参照して本発明の第1の実施例に関する、記録媒体間コピー時の書き込み制御方法について説明する。図４は本発明の第１の実施形態に関する、記録媒体間コピー時のフローチャートである。なお、以降では第１の記録媒体２０２から、第２の記録媒体２０３へのコピーについて説明するが、記録媒体間のコピーは、第１の記録媒体から第２の記録媒体へのコピーだけではなく、第２の記録媒体から第１の記録媒体へのコピーでも良い。
【００３０】
また一般に、記録媒体間でコピーをする際は、読み取り側より書き込み側の方が温度が熱くなることが知られているため、以降では書き込み側である第２の記録媒体温度について記載しているが、この限りではなく、読み取り側、書き込み側両方の記録媒体温度について制御してもよい。
【００３１】
図４より、ユーザーの各種操作部２０１の操作により、記録媒体間コピーのスタートが実行されると（Ｓ４００）、書き込み速度制御部２０４により、書き込み速度を低速に設定する（Ｓ４０１）。
【００３２】
書き込み速度制御部２０４により設定された書き込み速度低速でコピーを開始し（Ｓ４０２）、全てのデータがコピーされるまで設定された速度でコピーを行い、全てのデータの書き込みが完了したら、コピー動作を終了する（Ｓ４０３）。ここでの書き込み速度の低速は、可能な限り書き込み速度を落とした速度でも良いし、コピーでの書き込み時に記録媒体の温度が最大許容温度Ｔを超えない書き込み速度を事前に算出しておいて、その書き込み速度でコピーしてもよい。
【００３３】
図５は本発明の第１の実施形態に関する、記録媒体間コピー時の記録媒体温度と書き込み速度を示す概略グラフである。なお、時間、温度、書き込み速度及び温度勾配等は説明するための参考数値であり、この限りではない。図５を用いて、記録媒体温度と書き込み速度について説明する。なお、以降では７０℃を記録媒体の最大許容温度Ｔし、これ以上高温にならないように制御するものとする。
【００３４】
図５より、本実施例では記録媒体容量や、記録媒体の初期温度によらず書き込み速度は低速（４０ＭＢ／ｓ）で書き込みを行っている。このため、例えばＣＡＳＥ１では記録媒体の容量が少ないため比較的早くコピーが完了している。一方、ＣＡＳＥ２では記録媒体容量が大きく、書き込み速度を低速にしているため書き込みに時間がかかっているが、初期温度が５０℃環境下での過酷な条件でも第２の記録媒体２０３の温度は最大許容温度Ｔを超えることなく撮影が可能となる。
【００３５】
なお、書き込み速度低速を４０ＭＢ／ｓとしているが、この限りではなく、最大許容温度Ｔを含め、設定値は任意とする。またここでは、環境温度５０℃を動作保障最大温度とする。このように、常に低速で書き込みを行うことで、複雑な処理を行うことなくいかなる環境下でも記録媒体の温度が最大許容温度に達することなくコピーが可能となる。
【００３６】
［実施例２］
以下、図６と図７を参照して本発明の第２の実施例に関する、記録媒体間コピー時の書き込み制御方法について説明する。図６は、本発明の第２の実施形態に関する、記録媒体間コピー時のフローチャートである。図６より、ユーザーの各種操作部２０１の操作により、記録媒体間コピーのスタートが実行されると（Ｓ６００）書き込み速度制御部２０４により、書き込み速度を高速に設定する（Ｓ６０１）。
【００３７】
書き込み速度制御部２０４により設定された書き込み速度高速でコピーを開始し（Ｓ６０２）、コピー中は、記録媒温度測定部２０５により、第２の記録媒体温度Ｔ２を測定する（Ｓ６０３）。第２の記録媒体温度Ｔ２が閾値Ｔａより低ければ、引き続き書き込み速度高速でコピーを行い（Ｓ６０２）、第２の記録媒体温度Ｔ２が閾値Ｔａより高ければ、書き込み速度制御部２０４により、書き込み速度を中速に設定する（Ｓ６０５）。
【００３８】
書き込み速度制御部２０４により設定された書き込み速度中速でコピーを開始し（Ｓ６０６）、コピー中は、記録媒温度測定部２０５により、第２の記録媒体温度Ｔ２を測定する（Ｓ６０７）。第２の記録媒体温度Ｔ２が閾値Ｔｂより低ければ、引き続き書き込み速度中速でコピーを行い（Ｓ６０６）、第２の記録媒体温度Ｔ２が閾値Ｔｂより高ければ、書き込み速度制御部２０４により、書き込み速度を低速に設定する（Ｓ６０９）。
【００３９】
書き込み速度制御部２０４により設定された書き込み速度低速でコピーを開始し（Ｓ６１０）、全てのデータの書き込みが完了したら、コピー動作を終了する（Ｓ６１１）。
【００４０】
図７は本発明の第２の実施形態に関する、記録媒体間コピー時の記録媒体温度と書き込み速度を示す概略グラフである。なお、時間、温度、書き込み速度及び温度勾配等は説明するための参考数値であり、この限りではない。
【００４１】
図７を用いて、記録媒体温度と書き込み速度について説明する。図７より、本実施例では記録媒体温度測定部２０５で得られた温度情報により、逐次書き込み速度を変えている。つまり、書き込み初期は第２の記録媒体２０３の温度も低いため、書き込み速度高速（９０ＭＢ/ｓ）で書き込みを行い、第２の記録媒体温度Ｔ２がある閾値Ｔａ（５０℃）に達すると、書き込み速度を中速（７０ＭＢ/ｓ）まで落とし、温度上昇を抑制する。
【００４２】
そして、第２の記録媒体温度Ｔ２が閾値Ｔｂ（６５℃）に達すると、さらに書き込み速度を低速（４０ＭＢ／s）に落とすことで、第２の記録媒体温度Ｔ２が最大許容温度Ｔを超えないように制御している。
【００４３】
なお、ここでは閾値Ｔａを５０℃、閾値Ｔｂを６５℃、書き込み速度高速を９０ＭＢ／ｓ、書き込み速度中速を７０ＭＢ／ｓ、書き込み速度低速を４０ＭＢ／ｓとしているが、この限りではなく、最大許容温度Ｔを含め、設定値は任意とする。
【００４４】
なお本実施例のような制御を行わず、例えば常に最大速度で書き込みを行い、最大許容温度Ｔに達するとコピー動作を中断させ、温度が下がるとまた続きからコピーを再開する方法が考えられる。
【００４５】
しかし、環境温度によっては温度低下まで時間がかかるとともに、使用状況によってはいつ温度が下がりコピーが再開されるか分からないため、結果としてユーザーもコピー完了のタイミングを把握しにくいといった問題が生じてしまう。
【００４６】
また、容量の大きい１つのファイルをコピーする場合、途中でコピー動作を停止してしまうと、続きからコピーを再開するには場合、コピー開始位置の特定や、前回までのコピー情報などを処理しなければならず、コピーに時間がかかってしまう。
しかし本実施例のように、最大許容温度Ｔを超えないように、記録媒体の温度に応じて書き込み速度を随時変えることで、記録媒体の温度上昇を抑えられ、かつ温度制限でコピー動作が中断されることがないため、より早くコピーを行うことが可能となる。
【００４７】
［実施例３］
以下、図８と図９を参照して本発明の第３の実施例に関する、記録媒体間コピー時の書き込み制御方法について説明する。図８は本発明の第３の実施形態に関する、記録媒体間コピー時のフローチャートである。図８より、ユーザーの各種操作部２０１の操作により、記録媒体間コピーのスタートが実行されると（Ｓ８００）、記録媒体温度測定部２０５により、第２の記録媒体温度Ｔ３と（Ｓ８０１）、記録媒体容量測定部２０６により、第２の記録媒体容量Ｃと（Ｓ８０２）、外気温度測定部により外気温度Ｔｏを測定する（Ｓ８０３）。
【００４８】
第２の記録媒体温度Ｔ３、第２の記録媒体容量Ｃと、外気温度Ｔｏから、最適な書き込み速度Ｒｏを算出し（Ｓ８０４）、算出された最適な書き込み速度Ｒｏでコピーを開始し（Ｓ８０５）、全てのデータの書き込みが完了したら、コピー動作を終了する（Ｓ８０６）。
【００４９】
図９は本発明の第３の実施形態に関する、記録媒体間コピー時の記録媒体温度と書き込み速度を示す概略グラフである。なお、時間、温度、書き込み速度及び温度勾配等を説明するための参考数値であり、この限りではない。図９を用いて、記録媒体温度と書き込み速度について説明する。図９より、本実施例では第２の記録媒体温度Ｔ３、第２の記録媒体容量Ｃと、外気温度Ｔｏから算出された、最適な書き込み速度Ｒｏで書き込みを行う。
【００５０】
つまり、ＣＡＳＥ１のように、第２の記録媒体温度が低くても、記録媒体の容量が大きくコピーに時間がかかると判断すると、最大許容温度Ｔを超えないように書き込み速度中速（７０ＭＢ／s）で書き込みを行う。また、ＣＡＳＥ２のように、第２の記録媒体温度が高くても、記録媒体の容量が少なければ、書き込み速度が速くても発熱する前にコピーが完了するため、書き込み速度高速（９０ＭＢ／ｓ）でコピーを行う。
【００５１】
本実施例のように、最大許容温度Ｔを超えないように事前に最適な書き込み速度を算出し、その一定速度で書き込みを行うことで、記録媒体の温度上昇を抑えられ、かつ温度制限でコピー動作が中断されることがないため、より早くコピーを行うことが可能となる。なお、ここまで書き込み速度を高速（９０ＭＢ／ｓ）、中速（７０ＭＢ／ｓ）、低速（４０ＭＢ／ｓ）の３つに分けて説明したが、３パターンに限らず書き込み速度は様々な速度に可変可能であっても良い。また、実施例では記録媒体間コピーについて記載しているが、コピーに限らず記録媒体間の移動でも良い。
【００５２】
以上、本発明の好ましい実施形態について説明したが、本発明はこれらの実施形態に限定されず、その要旨の範囲内で種々の変形及び変更が可能である。
【符号の説明】
【００５３】
１００  カメラボディ、１０１  撮影レンズ、１０２  フォーカスレンズ、
１０３  撮像素子、１０４  第１の回路基板、１０５  第２の回路基板
【図２】
2017005323.tif 000003
【図１】
2017005323.tif 000004
【図３】
2017005323.tif 000005
【図４】
2017005323.tif 000006
【図５】
2017005323.tif 000007
【図６】
2017005323.tif 000008
【図７】
2017005323.tif 000009
【図８】
2017005323.tif 000010
【図９】
2017005323.tif 000011